(57)【要約】  制御バルブ（Ｒ）は、その出口端部（２２）がピストル・ノズル（３０）に接続されている可撓導管（２０）に接続された出口ノズル（１２）と、封止座（Ｓ）と、その座（７０）の閉鎖位置と開放位置との間を変位する可動封止手段（８０）とを有する本体（１０）を備える。ロッド（９０）が、可動封止手段（８０）に結合された内側端部（９１）と、外側端部（９２）と、本体（１０）に取り付けられた中央領域（９３）とを有する。ロッド（９０）は、垂直面内で中央横断軸の周りに変位することができ、それによって、その外側端部（９２）が低下位置および上昇位置へ導かれ、そのとき、可動封止手段（８０）が、座（７０）の閉鎖位置および開放位置へ導かれる。支持台（１００）が、ロッド（９０）の外側端部（９２）に配置され、それによって、非作動状態のときのピストル・ノズル（３０）を受け保持して、制御バルブ（Ｒ）の閉止を行う。
2016500012.tif 000002
【特許請求の範囲】
【請求項１】
手持ち式ビデ・シャワー用の流れ制御バルブであって、水システムに接続される入口ノズル（１１）と、トリガ（３１）によって駆動されるバルブを備えるピストル・ノズル（３０）に接続された出口端部（２２）を有する可撓導管（２０）の入口ノズル（２１）に接続された出口ノズル（１２）と、補助ノズル（１３）と、前記入口ノズル（１１）および前記出口ノズル（１２）に連通する封止座（Ｓ）と、前記封止座（Ｓ）と作動上連携し、前記座（Ｓ）の閉鎖位置と開放位置との間で変位する可動封止手段（Ｖ）と、前記可動封止手段（Ｖ）を変位させる駆動手段（ＭＡ）とを備える本体（１０）を具備する制御バルブ（Ｒ）において、前記駆動手段（ＭＡ）が、前記可動封止手段（Ｖ）に結合された内側端部（９１）と、前記補助ノズル（１３）を通って前記本体（１０）から突出する外側端部（９２）と、前記本体（１０）に取り付けられた中央領域（９３）とを有するロッド（９０）を備え、前記中央領域（９３）が、前記外側端部（９２）が低下位置および上昇位置をとる両極作動位置間で、前記ロッド（９０）が垂直面内で中央横断軸の周りに角度および線形変位を行うことを可能にし、前記位置では、前記可動封止手段（Ｖ）が、前記座（Ｓ）の前記閉鎖位置および前記開放位置それぞれに導かれ、前記ロッド（９０）の前記外側端部（９２）が、非作動状態にあるときのピストル・ノズル（３０）を受け保持する支持台（１００）を備えることを特徴とする制御バルブ（Ｒ）。
【請求項２】
前記ピストル・ノズル（３０）の重量が、前記支持台（１００）に受けられ保持されたとき、前記可撓導管（２０）の重量と相俟って、前記ロッド（９０）の前記外側端部（９２）を前記低下位置に変位させるのに十分であり、それによって、前記ロッド（９０）の前記内側端部（９１）が、前記可動封止手段（ＭＡ）を前記座（Ｓ）の前記閉鎖位置へ導くことを特徴とする、請求項１に記載の制御バルブ。
【請求項３】
前記座（Ｓ）が、前記本体（１０）の内部に取り付けられ、少なくとも１つの貫通孔（７１）を備える固定セラミック・ディスク（７０）によって形成され、前記可動封止手段（Ｖ）が、前記固定セラミック・ディスク（７０）の前記貫通孔（７１）を閉塞する、前記座（Ｓ）の前記閉鎖位置と、前記貫通孔（７１）を少なくとも部分的に閉塞解除する、前記座（Ｓ）の前記開放位置との間で変位するように、前記固定セラミック・ディスク（７０）に摺動式に当接する可動セラミック・ディスク（８０）によって形成されることを特徴とする、請求項１または２に記載の制御バルブ。
【請求項４】
前記本体（１０）の内部に取り付けられた管状スリーブ（４０）であって、前記入口ノズル（１１）の方へ向き、前記本体（１０）の内側環状ストッパ（１４）に当接する第１の端部（４１）と、中央領域（４２）と、外ねじ（４３ａ）を備え、前記本体（１０）の前記補助ノズル（１３）から軸方向外方へ突出する第２の端部（４３）とを有する管状スリーブ（４０）をさらに備え、前記固定および可動セラミック・ディスク（７０、８０）が、前記管状スリーブ（４０）の前記第１の端部（４１）の内部に取り付けられ、前記固定セラミック・ディスク（７０）および前記管状スリーブ（４０）の前記第１の端部（４１）が、環状ガスケット（Ｇ）を用いて前記本体（１０）の前記内側環状ストッパ（１４）に当接し、前記ロッド（９０）の前記中央領域（９３）が、前記管状スリーブ（４０）の前記中央領域（４２）の内部に取り付けられていることを特徴とする、請求項３に記載の制御バルブ。
【請求項５】
前記本体（１０）の前記補助ノズル（１３）が内ねじ（１３ａ）を備え、前記管状スリーブ（４０）を前記本体（１０）内に軸方向に固定するために、前記補助ノズル（１３）の前記内ねじ（１３ａ）に係合する外ねじ（５０ａ）を備えるねじ付ブッシング（５０）と、前記管状スリーブ（４０）の前記第２の端部（４３）の前記外ねじ（４３ａ）に係合する内ねじ（６０ａ）を備えるロッキング・ナット（６０）であって、前記本体（１０）内で前記管状スリーブ（４０）の回転を所望位置に固定するために、前記本体（１０）に軸方向に押し付けられるロッキング・ナット（６０）とをさらに具備することを特徴とする、請求項４に記載の制御バルブ。
【請求項６】
前記管状スリーブ（４０）が半径方向窓（４５）を備え、前記半径方向窓（４５）が、前記出口ノズル（１２）と流体連通状態に保持されている、前記本体（１０）の内側領域へ開いていることを特徴とする、請求項５に記載の制御バルブ。
【請求項７】
前記ロッド（９０）の前記中央領域（９３）が円筒形を呈し、前記中央領域（９３）の両端がそれぞれ軸端部（９５）を突出し、前記軸端部（９５）が、前記管状スリーブ（４０）の前記中央領域（４２）の内部に設けられたそれぞれの半径方向ハウジングに嵌め込まれ、前記管状スリーブ（４０）の前記中央領域（４２）が、前記ロッド（９０）の前記円筒形状中央領域（９３）のための円筒形ベアリング（４２ａ）を形成するように内側が構成されることを特徴とする、請求項６に記載の制御バルブ。
【発明の詳細な説明】
【技術分野】
【０００１】
本発明は、浴室やその他加圧水流を用いるのが好都合な種々の用途に通常使用されるタイプの、その位置を使用者が手でコントロールすることができる手持ち式ビデ・シャワーの通常の可撓導管への加圧水の供給を自動的に開閉するための制御バルブに関する。
【背景技術】
【０００２】
手持ち式ビデ・シャワーは、周知であり、通常、既知のビデの代用として水装置の市場で商品化されているが、他の水設備にも適用することができる。前記の手持ち式ビデ・シャワーは、通常、水供給システムの水出口に取り付けられた手動で操作する制御バルブ（または蛇口）と、その制御バルブに接続された入口端部を有する可撓導管（ホース）と、可撓導管の出口端部に取り付けられている、トリガ・バルブを一般的に備えるピストル・ノズルと、建物の壁に通常取り付けられ、非作動状態のときにピストル・ノズルをそこに着座させる支持台とによって形成される。
【０００３】
ピストル・ノズルは、使用者がトリガを押圧するのをやめてもバルブを開いた状態に維持することができるように、トリガと連携して作動可能なロックをさらに備えることもある。
【０００４】
前記の既知の手持ち式ビデ・シャワーの設備では、手動操作式の制御バルブは、通常、標準の適切な長さを有する可撓導管を通るピストル・ノズルへの水の供給の開閉を制御し、その可撓導管は、手持ち式ビデ・シャワーの作動時、特に使用者がトリガ操作を中断してピストル・ノズルのバルブが閉止したときの動的圧力に耐えるように通常構成されている。
【０００５】
前記の既知のタイプの設備、主として、高圧化下で作動し手動制御バルブを使用する設備では、ビデ・シャワーの使用後、好ましくは、ピストル・ノズルのバルブを閉止するためにトリガを解放する前に、制御バルブを常に閉止することが強く推奨される。前記の推奨の目的は、水システム内の圧力の突然の上昇または長時間の継続により、または可撓導管の疲労または磨滅による劣化によって生じる可撓導管の不測の裂開が、制御バルブが開いたままの間、加圧水を浴室環境に漏出させることを回避するためである。
【０００６】
それでもなお、製造業者の推奨にも拘らず、使用者は、しばしば、ビデ・シャワーを使用した後制御バルブを開いたままにし、それが、可撓導管の下流のトリガ・バルブのみに水流の閉止を任せることになり、可撓導管が、水供給システムによって連続して加圧されたままになる。この種の解決策では、制御バルブが開いた状態のまま可撓導管に不測の裂開が生じた場合、加圧水が必然的に設備環境に漏出し、被害を生じさせ、その被害の程度は、可撓導管の裂開の進展状態、水供給システム内を支配する圧力、およびさらに設備位置の個別状況に依存する。そのようなことが起きると、損害に対して使用者が製造業者を告訴することになることもある。
【０００７】
上記の不都合を克服することを目指して、非作動状態のピストル・ノズルを受け保持する支持台が制御バルブの駆動手段に結合され、それによって、使用者自身が、支持台から取り外されたときの作動位置と支持台に受けられ保持されたときの非作動位置との間でピストル・ノズルを移動することによって、制御バルブの開閉を制御する、構造上の解決策が提案された。
【０００８】
しかし、ピストル・ノズルが支持台上の非作動状態に戻ったとき、事実上の自動方式で制御バルブの閉鎖が必ず行われるようにして、使用者が制御バルブの開閉を制御することができるようにしたものの、この先行技術の解決策は、制御バルブの座において制御バルブの封止手段を開放および閉鎖作動位置に導くことができるためには、駆動手段を回転変位させる必要がある。さらになお、その回転変位は、使用者によって完全に行われなければならず、さもなければ、制御バルブは完全には閉鎖されず、ホースの加圧が続き、したがって漏洩の危険性がなくならない。
【発明の概要】
【発明が解決しようとする課題】
【０００９】
従来技術に関し上記に指摘された不都合に鑑みて、本発明の目的は、上記で論じたタイプの手持ち式ビデ・シャワーに適用すべく、使用者がピストル・ノズルを置こうとする使用上の配置の結果として容易かつ自動的に開閉することができ、可撓導管の加圧供給および前記供給の中断それぞれが確実に行われる流れ制御バルブを、簡単、高信頼度、かつ設置しやすい構造によって、実現することである。
【課題を解決するための手段】
【００１０】
本制御バルブは、水システムに接続される入口ノズルと、トリガ・バルブを備えるピストル・ノズルに接続された出口端部を有する可撓導管の入口ノズルに接続された出口ノズルと、補助ノズルと、入口および出口ノズルに連通する封止座と、封止座と作動上連携し、その座の閉鎖位置と開放位置との間で変位する可動封止手段と、可動封止手段を変位させる駆動手段とを備える本体を具備するタイプのものである。
【００１１】
本発明によれば、支持台駆動手段が、支持台可動封止手段に結合された内側端部と、支持台補助ノズルを通って支持台本体から外へ突出する外側端部と、支持台本体に取り付けられた中央領域とを有するロッドを備え、その中央領域は、支持台外側端部が低下位置および上昇位置をとる両極作動位置間で、前記ロッドが、垂直面内で中央横断軸の周りに角度および線形変位を行うことを可能にし、それら位置では、支持台可動封止手段が、支持台座の支持台閉鎖位置および支持台開放位置それぞれに導かれ、支持台ロッドの支持台外側端部が、非作動状態にあるときのピストル・ノズルを受け保持する支持台をさらに備える。
【００１２】
上記の制御バルブでは、手持ち式ビデ・シャワーを働かすためには、使用者は、ピストル・ノズルを支持台から取り外しさえすればよく、それがロッドの外側端部を上方、上昇位置へ変位させ、それによって、可動封止手段が座の開放位置へ導かれ、その状態は、使用者がピストル・ノズルを支持台上に下降方向で戻し、ロッドの外側端部を低下位置まで押し下げ、それによって、可動封止手段が座の閉鎖位置へ導かれるまで維持される。
【００１３】
本発明が、本発明を実施するのに可能な方式の例として提示された添付図面を参照して、以下に説明される。
【図面の簡単な説明】
【００１４】
【図１】手持ち式ビデ・シャワーの可撓導管が部分的に切り取られ、建物の壁に取付け済みの本発明の制御バルブが示され、ピストル・ノズルが非作動状態にあり、すなわち支持台に受けられ保持されて、駆動手段のロッドの外側端部が座を閉鎖する低下位置にある、手持ち式ビデ・シャワーの側面図である。
【図２】図１の手持ち式ビデ・シャワーであるが、可撓導管が部分的に切り取られ、ピストル・ノズルが支持台から取り外されて、駆動手段のロッドの外側端部が上昇位置をとっているところの側面図である。
【図３】ピストル・ノズルが支持台に下降方向で受けられ保持されるときの、駆動手段のロッドの外側端部が低下位置にあり、制御バルブの座が閉鎖されている、本制御バルブの長手方向部分断面図である。
【図４】図３と同様な図であるが、ピストル・ノズルが支持台から取り外されたときの、駆動手段のロッドの外側端部が上昇位置にあり、制御バルブの座が開放されている図である。
【発明を実施するための形態】
【００１５】
添付図面に示されるように、制御バルブＲは本体１０によって形成され、本体１０は、金属合金で鋳造または鍛造してもよく、またはプラスチック材料で射出成型してもよく、すなわちこの種の装置に適した材料でよく、内部は中空であり、建物の壁Ｐ内に通常設置される水システム（図示せず）の終端ノズルに接続され飾り座Ｃを通常伴う入口ノズル１１を備え、手持ち式ビデ・シャワーの可撓導管２０の入口端部２１に接続される出口ノズル１２を備え、種々の既知の従来技術の方式で製作することができる。
【００１６】
本体１０は、一般に内ねじ１３ａを有し入口ノズル１１に軸方向に整合させることができる補助ノズル１３をさらに備える。
【００１７】
可撓導管２０は、トリガ・バルブを通常備えるピストル・ノズル３０が取り付けられる出口端部２２を有し、トリガ・バルブは諸図ではそのトリガ３１のみによって表されている。ピストル・ノズル３０は、当技術分野では周知の様々な構造を呈することができるが、その個別の構造は本発明の関与する態様ではない。ピストル・ノズル３０は、使用者がトリガ３１に操作するのを止めてもトリガ・バルブを開いた状態に保つために、トリガ３１と作動上連携するロック（図示せず）をさらに備えることもある。
【００１８】
入口ノズル１１と出口ノズル１２とは、必須ではないが一般に互いに直交しており、制御バルブＲの本体１０の内部で、封止座Ｓを通って互いに選択的流体連通状態に保たれ、それは以降説明される。
【００１９】
制御バルブＲの本体１０は、作動上封止座Ｓと連携し駆動手段ＭＡによって座Ｓの閉鎖位置と開放位置との間を変位する可動封止手段Ｖをさらに備える。
【００２０】
本制御バルブＲは、本体１０の内部に、合金製またはプラスチック材料製の管状スリーブ４０をさらに備え得、管状スリーブ４０は、環状ガスケットＧに当接する第１の端部４１を有し、ガスケットＧが、さらに本体１０の内側環状ストッパに当接する。管状スリーブ４０は、中央領域４２および第２の端部４３を有し、後者は、外ねじ４３ａを備え、本体１０の補助ノズル１３から軸方向外向きに突出する。
【００２１】
管状スリーブ４０は、補助ノズル１３の内ねじ１３ａと係合する外ねじ５０ａおよび補助ノズル１３に当接する外周フランジ５１を備えるねじ付ブッシング５０を用いて、本体１０の内部で軸方向に固定され、外周フランジ５１と補助ノズル１３との間にエラストマーの封止リングが配置される。管状スリーブ４０は、その最終取付け位置が定まるまで本体１０の内部で回転させることができ、最終取付け位置が定まると、管状スリーブ４０は、管状スリーブ４０の第２の端部４３の外ねじ４３ａに係合する内ねじ６０ａを備えるロッキング・ナット６０を介して、回転に抗して固定することができ、本体１０内で管状スリーブ４０の回転を固定するために、前記ロッキング・ナット６０は、本体１０にその補助ノズル１３の周りで、軸方向に押し付けられる。
【００２２】
管状スリーブ４０は、その中央外側に少なくとも１つの円周溝４４を備え、その中にはエラストマーの「Ｏ−リング」４４ａが入り、そのＯ−リングがねじ付ブッシング５０に当接して働くことによって、ねじ付ブッシング５０と管状スリーブ４０との間を確実に封止する。
【００２３】
管状スリーブ４０が設けられている図示の構造では、座Ｓは、本体１０の内部に、より具体的には管状スリーブ４０の第１の端部４１の内部に取り付けられた固定セラミック・ディスク７０によって形成され、環状ガスケットＧに当接している。固定セラミック・ディスク７０は、少なくとも１つの貫通孔７１を備える。
【００２４】
図示の構造では、可動封止手段Ｖは、可動セラミック・ディスク８０によって形成され、固定セラミック・ディスク７０の貫通孔７１を閉塞する座Ｓの閉鎖位置と、その貫通孔７１を少なくとも部分的に閉塞解除する座Ｓの開放位置との間で変位するように、固定セラミック・ディスク７０に摺動式に着座する。
【００２５】
管状スリーブ４０は、半径方向窓４５を備え、その窓は、出口ノズル１２および可撓導管２０と流体連通状態に保持されている本体１０の内部領域へ開口している。したがって、図４に示すように、可動封止手段Ｖが座Ｓの開放位置へ動かされると、制御バルブの本体１０の入口ノズル１１と出口ノズル１２との流体連通が可能になる。
【００２６】
管状スリーブ４０は、その中央領域４２で、エラストマーの２つの封止リング４６間に円筒形ベアリング４２ａを形成するように、内側が構成され、封止リング４６は、前記中央領域４２の内部に形成されたそれぞれのハウジング内に係止され、最も内側の封止リング４６は、セラミック材料などの低摩擦係数を有する材料から製作され可動セラミック・ディスク８０に当接する管状ガイド４７によって所定位置に保持される。
【００２７】
本発明によれば、駆動手段ＭＡは、可動封止手段Ｖに連結される内側端部９１と、補助ノズル１３を通って本体１０から突出する外側端部９２と、本体１０に取り付けられた中央領域９３とを有するロッド９０を備え、中央領域９３は、外側端部９２が低下位置および上昇位置をとる両極作動位置間で、前記ロッド９０が、垂直面内で中央横断軸の周りに角度および線形変位を行うことを可能にし、それら位置では、可動封止手段Ｖが、座Ｓの閉鎖位置および開放位置それぞれに導かれる。
【００２８】
図示の構造では、ロッド９０の中央領域９３が、円筒形をなし、その両端がそれぞれ軸端部９５を突出し、その軸端部が、スリーブ４０の中央領域４２の内部に設けられたそれぞれの半径方向ハウジング（図示せず）に嵌め込まれる。そのような構造によって、ロッド９０は、その外側端部９２が操作者によって動かされたとき、軸端部９５の周りに揺動することができ、その結果、それに対応して、ロッド９０の内側端部９１が、制御バルブＲの座Ｓの開放位置と閉鎖位置との間で、可動封止手段Ｖに直線変位を起こさせる。
【００２９】
また、本発明によれば、ロッド９０の外側端部９２に取り付けられる支持台１００が設けられ、支持台１００は、フォーク状の受台の形に構成され、それによって、非作動状態のときのピストル・ノズル３０を、下降方向で嵌め込むことによって、受けて保持する。
【００３０】
上記の構造では、図２および４に示されるように、使用者は、前記ピストル・ノズルを上方に移動させ、座Ｓの開放状態に向けて、ロッド９０の外側端部９２に上向きの角度変位を起こさせながら、ピストル・ノズル３０を支持台１００から取り外すことができる。制御バルブＲが開かれれば、使用者は、所望の水噴射を得るためにピストル・ノズル３０のトリガ３１を操作しさえすればよい。
【００３１】
手持ち式ビデ・シャワーを使用した後、使用者は、トリガ３１を解放してピストル・ノズル３０のトリガ・バルブを閉じ、次いで、ピストル・ノズル３０を支持台１００に戻すであろう。支持台１００の構造から、支持台１００は、ピストル・ノズル３０をその支持台１００に下降方向で嵌め込むことによってピストル・ノズル３０を受け保持し、その下降方向で嵌め込む動きが、図１および３に示されるように、ロッド９０の外側端部９２に、座Ｓの閉鎖状態に向けて下方への角度変位を生じさせる。
【００３２】
また、ピストル・ノズル３０の重量が、支持台１００上に受けられ保持されたとき、可撓導管２０の重量と相俟って、駆動手段ＭＡのロッド９０の外側端部９２に低下位置（この位置では、ロッド９０の内側端部９１が、可動封止手段ＭＡを座Ｓの閉鎖位置へ導く）への変位を起こさせるのに十分であるように、駆動手段ＭＡおよびピストル・ノズル３０を構成することも可能である。この場合、使用者は、ピストル・ノズル３０を支持台１００に戻しさえすればよく、それによって、前記ピストル・ノズル３０の重量が、自動的にロッド９０に角度変位を生じさせ、その結果、制御バルブＲを閉止する。
【００３３】
本明細書には本制御バルブの実施形態が１つだけしか説明されていないが、本明細書に添付の特許請求の範囲に定義された本発明の思想から逸脱することなく、様々な構成部品の形態および配置について種々の変更を実施することができることが理解されるべきである。
【図１】
2016500012.tif 000003
【図２】
2016500012.tif 000004
【図３】
2016500012.tif 000005
【図４】
2016500012.tif 000006
【国際調査報告】
2016500012.tif 000007
2016500012.tif 000008